【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
第１の駆動信号を生成するためにオーディオ信号の第１の周波成分をパスするように構成される第１のフィルタと、
前記第１の駆動信号を増幅するように構成される第１の増幅器と、
第２の駆動信号を生成するために前記オーディオ信号の第２の、より高い周波成分をパスするように構成される第２のフィルタと、
前記第２の駆動信号を増幅するように構成される第２の増幅器と、
圧電要素によって画定された変位可能な表面によって音を生成するための移動質量トランスデューサと、
第１の磁界の生成のためのコイルと、前記コイルは、前記第１の増幅器に、および前記圧電要素に接続される、
を備え、
ここにおいて、前記圧電要素が、前記コイルを介した、前記第１の磁界との前記増幅された第１の駆動信号の相互作用に応答して変位させられ、ここにおいて、前記圧電要素が前記増幅された第２の駆動信号によって別個に駆動されるように構成された、
装置。
【請求項２】
前記圧電要素は、前記第１の磁界との、前記コイルにおける、前記増幅された第１の駆動信号の特定の相互作用に応答して変位させられるように構成され、
前記移動質量トランスデューサの側面から、前記コイルへの前記圧電要素の前記接続まで拡張する前記表面の一部が前記圧電要素からなる、請求項１に記載の装置。
【請求項３】
前記移動質量トランスデューサの移動質量が、
前記表面と、
前記コイルと、を備え、
前記コイルが、前記増幅された第１の駆動信号を受信するために結合される、請求項１に記載の装置。
【請求項４】
前記コイルが、前記第１の増幅器から前記増幅された第１の駆動信号を受信するように、および前記増幅された第１の駆動信号に応答して第２の磁界を生成するように構成され、
前記表面が、前記コイルの前記第２の磁界と前記磁石の前記第１の磁界との相互作用に応答して並進方向に並進するように構成される、請求項１に記載の装置。
【請求項５】
前記表面の前記変位が並進方向の前記表面の並進に少なくとも部分的に関連し、ここにおいて、前記増幅された第２の駆動信号によって前記圧電要素を別個に駆動することが、前記表面の形状を変動させる、請求項１に記載の装置。
【請求項６】
前記表面が前記磁石の上に懸垂され、前記コイルに接続される、単一のメンブレインを備え、ここにおいて、前記増幅された第２の駆動信号によって前記圧電要素を別個に駆動することが、前記表面の形状を変動させる、請求項１に記載の装置。
【請求項７】
前記表面が、実質的に平面であり、ここにおいて、前記表面は、前記磁石の上に懸垂され、前記第２の駆動信号を介して前記表面を別個に駆動することが、前記表面の形状を変動させる、請求項１に記載の装置。
【請求項８】
前記第２の、より高い周波成分が、超音波周波数範囲を備え、
前記表面の前記変位が前記変動に少なくとも部分的に関連する、請求項７に記載の装置。
【請求項９】
エンコーダ／デコーダ（コーデック）をさらに備え、
前記第１の増幅器が、前記移動質量トランスデューサと前記コーデックとの間で結合され、
前記第２の増幅器が、前記移動質量トランスデューサと前記コーデックとの間で結合され、
前記第２の駆動信号が、約２０キロヘルツ（ｋＨｚ）を上回る第１の周波数を有する、および／または、
前記第１のフィルタが、第１のカットオフ周波数を備え、
前記第２のフィルタが、第２のカットオフ周波数を備え、
前記第２の駆動信号が、前記第２のカットオフ周波数と約６０キロヘルツ（ｋＨｚ）との間の第１の周波数を備える、および／または、
前記第１のフィルタが、前記第１の駆動信号を生成するために第１の周波数を下回る前記オーディオ信号の低周波成分をパスするように構成されたローパスフィルタを備え、ここにおいて、前記第２のフィルタは、前記第２の駆動信号を生成するために前記オーディオ信号の第２の周波数を上回る高い周波成分をパスするように構成されたハイパスフィルタを備え、ここにおいて、前記第１の周波数は、前記第２の周波数とは異なる、および／または、
前記移動質量トランスデューサが、ガラスハウジングを有するハンドヘルドオーディオデバイスに含まれ、
前記ガラスハウジングの音響ポートが、前記移動質量トランスデューサの上に配置され、
前記オーディオ信号の前記第２の、より高い周波成分が、超音波周波数範囲に対応する、および／または、
前記移動質量トランスデューサが組み込まれたハンドヘルドオーディオデバイスと、
前記ハンドヘルドオーディオデバイスのガラスハウジングと、
前記ハンドヘルドオーディオデバイスの前記ガラスハウジングの音響ポートと、をさらに備え、
ここにおいて、前記音響ポートが、前記移動質量トランスデューサの上に配置される、および好ましくは、
前記表面が、もっぱら前記圧電要素から構成され、ここにおいて、前記ハンドヘルドオーディオデバイスがワイヤレス通信デバイスを含む、請求項１に記載の装置。
【請求項１０】
第１の駆動信号を第１の増幅器によって増幅することと、前記第１の駆動信号は、オーディオ信号の第１の周波成分をパスするように構成される第１のフィルタによって提供される、
第２の駆動信号を増幅することと、前記第２の駆動信号は、前記オーディオ信号の第２の、より高い周波成分をパスするように構成される第２のフィルタによって提供される、
前記増幅された第１の駆動信号を用いて移動質量トランスデューサのコイルを駆動することと、ここにおいて、前記コイルが、第１の磁界の生成し、前記移動質量トランスデューサが、圧電要素によって画定された表面の変位によって音を生成し、ここにおいて、前記コイルが、前記第１の増幅器に、および前記圧電要素に接続され、ここにおいて、前記圧電要素が、前記コイルを介した、前記第１の磁界との前記増幅された第１の駆動信号の相互作用に応答して変位させられる、
前記増幅された第２の駆動信号を用いて前記圧電要素を駆動することと
を備える方法。
【請求項１１】
前記表面の変位によって前記音を生成することが、
前記移動質量トランスデューサの側面から、前記コイルへの前記圧電要素の前記接続まで拡張する前記表面の一部を変位することを備え、ここにおいて、前記表面の前記一部が、前記圧電要素からなる、請求項１０に記載の方法。
【請求項１２】
前記移動質量トランスデューサの第１の部分を移動することをさらに備え、前記第１の部分は、前記表面と前記コイルとを備える、および／または、
前記第１の増幅器から前記増幅された第１の駆動信号を、前記コイルによって、受信することをさらに備え、ここにおいて、前記コイルが、前記増幅された第１の駆動信号に応答して第２の磁界を生成し、ここにおいて、前記コイルの前記第２の磁界と前記磁石の前記第１の磁界との相互作用が前記表面の並進を生じさせる、および好ましくは、
前記増幅された第２の駆動信号を用いて前記圧電要素を駆動することに応答して前記表面の形状を変動させることをさらに備え、ここにおいて、前記表面の前記変位が前記並進に少なくとも部分的に関連する
請求項１０に記載の方法。
【請求項１３】
前記増幅された第２の駆動信号を用いて前記圧電要素を駆動することに応答して前記表面の形状を変動させることをさらに備え、ここにおいて、前記表面は、実質的に平面であり、ここにおいて、前記表面は、前記磁石の上に懸垂される、および好ましくは、
前記表面の前記変位が前記変動に少なくとも部分的に関連し、
前記第２の、より高い周波成分が、超音波周波数範囲に対応し、
前記音は、
前記第１の磁界との前記増幅された第１の駆動信号の前記相互作用に応答して前記圧電要素を変位させることと、
前記増幅された第２の駆動信号を用いて前記圧電要素を駆動することと
によって生成される、請求項１０に記載の方法。
【請求項１４】
超音波周波数を用いて前記圧電要素を駆動することをさらに備え、ここにおいて、前記移動質量トランスデューサが、前記移動質量トランスデューサの上に配置される音響ポートを含むガラスハウジングを有するハンドヘルドオーディオデバイスに組み込まれる、および／または、
前記第１のフィルタが、第１のカットオフ周波数を有し、ここにおいて、前記第２のフィルタが、第２のカットオフ周波数を有し、
前記圧電要素が、約前記第２のカットオフ周波数と６０キロヘルツ（ｋＨｚ）との間の周波数で駆動される、請求項１０に記載の方法。
【請求項１５】
プロセッサによって実行されたとき、請求項１０から請求項１５のいずれか一項に記載の方法を実行する命令を記憶する非一時的コンピュータ可読媒体。